(57)【要約】      （修正有）【課題】温室のプラスチックシートに穴を開けるための切断装置を提供する。【解決手段】切断装置１０は、切断中にシートを伸張させるために、シートに取り付けるためのディスク１６と、ディスク１６の中心に垂直に接続されたロッド２６であって、シートに固定されるために、および、シートの伸長した領域の中心を決定するために、端部に先の尖った先端１２を有する、ロッド２６と、ロッド２６に接続された切断工具２０であって、ロッド２６から離れて配された切断用端部１８を使用する、切断工具２０、および、ロッド２６のまわりで切断用端部１８を円形に回転させるための機構、を備え、ロッド２６の長さによって、切断装置１０を遠くからシートに固定することが可能となり、それによってユーザーから離れてシートに円形の切り口を開けることができる。【選択図】図１
0003207122.tif 000002
【実用新案登録請求の範囲】
【請求項１】
切断装置であって、
該切断装置は、
−切断中にシート（４４）を伸張させるために、シート（４４）を取り付けるためのディスク（１６）、
−ディスク（１６）の中心に垂直に接続されたロッド（２６）であって、シート（４４）に固定されるために、および、前記シート（４４）の伸長した領域の中心を決定するために、端部に先の尖った先端（１２）を有する、ロッド（２６）、
−ロッド（２６）に接続された切断工具（２０）であって、ロッド（２６）から離れて配された、切断用端部（１８）を使用する、切断工具（２０）、および、
−ロッド（２６）のまわりで切断用端部を円形に回転させるための機構、
を備え、
−ロッド（２６）の長さによって、切断装置を遠くからシートに固定することが可能となり、それによって、ユーザーから離れて前記シート（４４）に円形の切り口を開けるために前記シート（４４）を伸張させる、切断装置。
【請求項２】
前記切断工具（２０）は万能ナイフである、請求項１に記載の切断装置。
【請求項３】
前記切断工具（２０）の前記切断用端部（１８）は刃である、請求項１に記載の切断装置。
【請求項４】
前記切断工具（２０）の前記切断用端部（１８）は加熱フィラメントである、請求項１に記載の切断装置。
【請求項５】
前記切断装置は、回転軸から等しい距離をおいて直径上に置かれた２つの切断工具（２０）を備える、請求項１に記載の切断装置。
【請求項６】
回転軸からの前記切断工具（２０）の距離が決められ、固定され得る、請求項５に記載の切断装置。
【請求項７】
ポール（３４）上の一定の場所に切断工具（２０）を締めるための蝶ネジ（２２）を含む、請求項６に記載の切断装置。
【請求項８】
延長ロッド（３６）は折り畳み可能であるか、あるいは、様々な長さに設定されるように取り付け可能であり、それによってユーザー（４８）が高さの異なるシート（４４）に届くことが可能となる、請求項５に記載の切断装置。
【請求項９】
前記延長ロッド（３６）は伸縮方式で畳み込まれたり開かれたりする、請求項８に記載の切断装置。
【請求項１０】
前記切断機構は切断工具（２０）を前記円を描くように回転させるためのモーターを含む、請求項５に記載の切断装置。
【請求項１１】
前記モーターは電気モーター、油圧モーター、および空気圧モーターを含む群から選択される、請求項１０に記載の切断装置。
【請求項１２】
前記切断機構は動作ハンドル（３０）を備え、ユーザー（４８）は前記動作ハンドル（３０）を手動で回して、前記切断工具（２０）を、円を描くように回転させる、請求項１に記載の切断装置。
【請求項１３】
回転軸からの前記切断工具（２０）の距離が決められ、固定され得る、請求項１に記載の切断装置。
【請求項１４】
ポール（３４）上の一定の場所に前記切断工具（２０）を締めるための蝶ネジ（２２）を含む、請求項１３に記載の切断装置。
【請求項１５】
延長ロッド（３６）は折り畳み可能であるか、あるいは、様々な長さに設定されるように取り付け可能であり、それによってユーザー（４８）が高さの異なるシート（４４）に届くことができる、請求項１に記載の切断装置。
【請求項１６】
前記延長ロッド（３６）は伸縮方式で畳み込まれたり開かれたりする、請求項１５に記載の切断装置。
【請求項１７】
動作ハンドル（３０）を備え、ユーザー（４８）は前記動作ハンドル（３０）を手動で回して、前記切断工具（２０）を円を描くように回転させる、請求項１に記載の切断装置。
【請求項１８】
前記切断工具（２０）を円を描くように回転させるためのモーターを含む、請求項１に記載の切断装置。
【請求項１９】
前記モーターは電気モーター、油圧モーター、および空気圧モーターを含む群から選択される、請求項１８に記載の切断装置。
【請求項２０】
前記ディスク（１６）とシート（４４）との間の摩擦を打ち消すための、前記ディスク（１６）と前記先端（１２）との間に配される突起部（５０）をさらに備える、請求項１に記載の切断装置。
【請求項２１】
温室の壁のシートの切断時における切断装置の使用であって、
前記切断装置は、
−切断中にシート（４４）を支持し、かつ伸張させるためのディスク（１６）、
−ディスク（１６）の中心に垂直に接続されたロッド（２６）であって、シート（４４）に固定されるために、および、前記シート（４４）の伸長した領域の中心を決定するために、端部に先の尖った先端（１２）を有する、ロッド（２６）、
−前記ロッド（２６）に接続された切断工具（２０）であって、前記ロッド（２６）から離れて配された切断用端部（１８）を使用する、切断工具（２０）、および、
−前記ロッド（２６）のまわりで切断用端部を円形に回転させるための機構、
を備え、
−前記ロッド（２６）の長さによって、切断装置を遠くから前記シートに固定することが可能となる、使用。
【考案の詳細な説明】
【技術分野】
【０００１】
本発明は切断装置の分野に関する。より具体的には、本発明は温室のプラスチックシートに穴を開けるための装置に関する。
【背景技術】
【０００２】
温室は植物が成長する構造体である。こうした構造体は小さな小屋から産業用途サイズの建物まで様々である。
【０００３】
温室は、ガラスまたはプラスチックの屋根と、しばしばガラスまたはプラスチック壁といった様々なタイプの被覆材を備える構造体であり、太陽から入って来る目に見える太陽放射線（ガラスまたはプラスチックはこれを通過させる）は、構造体の内部の植物、土、または他の物体により吸収されるため、温室は暖まる。暖かい内表面からの熱によって暖められた空気は屋根と壁によって構造体で保持される。加えて、温室の内部の暖められた物体と植物は、ガラスや透明なプラスチックが部分的に通さない赤外スペクトル中の熱エネルギーの一部を再放射する。したがって、このエネルギーのいくらかも温室の内部でためられる。しかしながら、この後者のプロセスは前者（対流式）プロセスと比較すると、マイナーリーグの選手である。したがって、温室の主要な加熱装置は対流である。これは、温室の屋根の近くの小窓を開くことにより実証可能である：温度は大きく下がる。この原則が自動ベント式の自動冷却システムの基礎となる。したがって、温室に使用されるガラスまたはプラスチックは気流に対する障壁として作用し、その効果は温室内でエネルギーをとらえることである。地面の近くで暖められる大気は無限に上昇して流れることはできない。
【０００４】
ガラスまたはプラスチックを介した熱伝導による熱損失は生じるが、正味のエネルギー（したがって温度）は温室の内部で増加する。温室はガラスの温室とビニールハウスに分けることができる。使用されるプラスチックのほとんどがポリエチレンフィルムと、ポリカーボネート材料またはＰＭＭＡアクリルガラスの多層シートである。
【０００５】
温室により、植物の成長環境をより一層制御することができる。あ温室の技術仕様次第で、制御され得る鍵となる要素は、温度、光と影のレベル、灌漑、肥料の適用、および大気の湿度を含んでいる。温室は成長時期の短さまたは光レベルの弱さといった一区画の土地における成長特性の欠点を克服するために使用されてもよく、それによって十分とは言えない環境下で食物の生産を改善することができる。
【０００６】
温室は年間を通じて特定の作物を成長させることができるため、高緯度の国々の食糧供給にとってますます重要なものとなりつつある。
【０００７】
温室は、花、野菜、果物、および移植された植物を育てるために使用されることが多い。トマトのような特定の作物の特別な温室のタイプが商業生産向けに一般に使用される。多くの野菜や花は晩冬や早春に温室で育てることができ、その後、天候が暖まると外に移植される。
【０００８】
換気は優れた温室の最も重要な構成要素の１つである。あ適切な換気がなければ、温室とその植物には問題が生じやすくなる傾向がある。換気の主な目的は、温度を最適なレベルに調節することと、空気の移動を確保すること、したがって、静止空気状態と高い湿度を好む植物病原菌（灰色かび病菌（Ｂｏｔｒｙｔｉｓ  ｃｉｎｅｒｅａ）など）の蓄積を防ぐことである。換気により光合成と植物の呼吸のための新鮮な外気の供給が確保され、重要な花粉媒介者は温室の作物に近づくことができる。
【０００９】
温室の換気を制御するために、温室の屋根や壁のプラスチックシートに穴を開ける。季節が変わるため、あるいは成長した作物が異なる気候を必要とするため、作物を植えた後にプラスチックシートに穴を開けることが好ましいことも時にはある。そのような場合、作物が成長するにつれて好ましくない状態が現れ始めることから、切断動作を実行することが非常に困難である。湿った土壌、枝や葉、給水線、地面上の穴や塊はすべて、温室の壁に近づくのを非常に困難にする障害物である。温室の屋根のプラスチックシートを切る必要があるとき、特別な問題が生じる。この場合、作業者は片手にナイフを握りながらハシゴをのぼり、プラスチックに丸い穴を空けなければならない。この作業は明らかに骨の折れるものであり、地面がぬかるんでいるか、濡れているか、または傾いているときに、ハシゴの上に立つのは非常に作業者にとって非常に危険なことでもある。
【００１０】
理想的には、プラスチックの穴の切断は各々約１０ｃｍから５０ｃｍの直径の円で行われる。プラスチックシートの厚さは通常０．１ｍｍから０．２ｍｍの間である。したがって、多くの穴が異なる高さと場所に必要な場合、万能ナイフでこうした穴を開ける作業は容易な仕事ではない。さらに、屋根のより高い場所に届くためにハシゴが必要になるということを考慮すれば、この作業は特に困難なものとなり、作業者はハシゴから下りて、梯子を新しい場所へと動かし、再度上って、他の場所に別の穴を開ける必要がある。
【００１１】
温室のプラスチックシートに穴を開けるこの作業は、通常、２ｍ〜４ｍごとにそれぞれ新しい穴を空けて長い直線で行われるが、一般に長い時間がかかり、こうした作業に大きな温室に必要になると、非常に骨の折れる仕事になる。
【００１２】
上に記載されたすべての方法は温室のプラスチックシートに穴を開けるという問題に対して満足な解決策をまだ与えてはいない。
【考案の概要】
【考案が解決しようとする課題】
【００１３】
本発明は、温室の屋根と壁のプラスチックを切るための切断装置を提供することを目的とする。
【００１４】
本発明は、ハシゴを使用する必要なく、高い場所にたどり着いて温室のプラスチックを切るための切断装置を提供することを別の目的とする。
【００１５】
本発明は、変動するあらかじめ定められた直径の丸い穴を開けるための切断装置を提供することをもう一つの目的とする。
【００１６】
本発明は、従来技術の上に記載したおよび他の問題に対する解決策を与えることを目的とする。
【００１７】
本発明の他の目的や利点は記載が進むにつれ明白になるであろう。
【課題を解決するための手段】
【００１８】
一態様において、本発明は切断装置を対象としており、該装置は、
−切断中にシート（４４）を支持するためのディスク（１６）；
−ディスク（１６）の中心に垂直に接続されたロッド（２６）であって、シート（４４）に固定されるために端部に先の尖った先端（１２）を有する、ロッド（２６）；
−ロッド（２６）に接続された切断工具（２０）であって、ロッド（２６）から離れて配された、切断用端部（１８）を使用する、切断工具；
および、
−ロッド（２６）のまわりで切断用端部を円形に回転させるための機構を備え、
−ロッド（２６）の長さによって、切断装置を遠くからシートに固定することが可能となり；
それによってユーザーから離れてシートに円形の切り口を開ける。
【００１９】
切断工具（２０）は万能ナイフであってもよい。
【００２０】
切断工具（２０）の切断用端部（１８）は刃であってもよい。
【００２１】
切断工具（２０）の切断用端部（１８）は加熱フィラメントであってもよい。
【００２２】
切断装置は、回転軸から等しい距離をおいて直径上に置かれた２つの切断工具（２０）を含むこともある。
【００２３】
回転軸からの切断工具（２０）の距離を決めて、固定することができる。
【００２４】
切断装置は、ポール（３４）上の固定された場所で切断工具（２０）を締めるための蝶ネジ（２２）をさらに含む。
【００２５】
延長ロッド（３６）は折り畳み可能であるか、あるいは、様々な長さに設定されるように取り付け可能であり、それによってユーザー（４８）が高さの異なるシート（４４）に届くことが可能となる。
【００２６】
延長ロッド（３６）は伸縮方式で畳み込まれたり開かれたりする。
【００２７】
切断装置は動作ハンドル（３０）をさらに備え、ユーザー（４８）は動作ハンドル（３０）を手動で回して、切断工具（２０）を円を描くように回転させる。
【００２８】
切断装置は切断工具（２０）を円を描くように回転させるためのモーターをさらに含む。
【００２９】
モーターは電気モーター、油圧モーター、および空気圧モーターの群から選択されてもよい。
【００３０】
参照番号は、本発明についての理解を促すべく、本明細書に記載・例証された実施形態中の要素を指し示すために使用されている。参照番号は単なる例証的であり、制限することを意図していない。同様に、本発明の先の実施形態はシステムとその方法と共に記載・例証されており、これらは単に例証的なものであり、制限することを意図していない。
【図面の簡単な説明】
【００３１】
本発明の好ましい実施形態、特徴、態様、および利点は、以下の図面とあわせて本明細書に記載されている
【図１】本発明の一実施形態に係る、プラスチックシートを切るための切断装置の概略図である。
【図２】本発明の一実施形態に係る、プラスチックシートを切るための切断装置の概略図である。
【図３】本発明の別の実施形態に係る、プラスチックシートを切るための切断装置の概略図である。
【図４】本発明の一実施形態に係る、プラスチックシートを切るための切断装置を操作するユーザーの図である。
【考案を実施するための形態】
【００３２】
図面が必ずしも正確な縮尺で書かれているわけではないことを理解されたい。
【００３３】
本発明は、説明的で非限定的であると意図された好ましい実施形態（「最良のモード」）の以下の詳細な記載から理解されるであろう。簡潔さのために、いくつかの周知の特徴、方法、システム、手順、構成要素、回路などは詳細には記載されない。
【００３４】
図１と２は本発明の一実施形態に係る、プラスチックシートを切るための切断装置の概略図である。
【００３５】
本発明の一実施形態によれば、切断装置（１０）はプラスチックシートを切るための切断工具（２０）を含む。切断工具（２０）はポール（３４）の助力を得てロッド（３６）に接続される。ロッド（３６）の回転によりポール（３４）が円を描くように設定されるため、切断工具（２０）は先の尖った先端（１２）の軸のまわりを回転する。
【００３６】
本発明の一実施形態によれば、ロッド（２６）と（３６）は、ロック用ねじ山（ｌｏｃｋｉｎｇ  ｔｈｒｅａｄ）（２４）によって一緒に堅く締められる。ロック用ねじ山（２４）を緩めることにより、切断装置（１０）を折り畳むこと、または取り付けることが可能となる。温室のプラスチックを切る作業に切断装置（１０）を使用する前に、ユーザーはロック用ねじ山（２４）を堅く締めなければならず、それによって定位置でロッド（２６）と（３６）を組み立てる。ユーザーは、自分自身の立っている場所からの、切る必要のあるプラスチックシートの高さまたは距離に依存して、出て来る延長ロッドの位置を様々なレベルで設定することを決めることができる。プラスチックシートがユーザーよりも上の位置にある場合、ユーザーは出し入れ式の延長ロッド（３６）を完全長にする。こうして、プラスチックシート（１０）を切るための切断装置を用いて、異なる高さに置かれたプラスチックシートに穴を開けることができ、ユーザーは、ロッド（３６）と（２６）の全長を様々なレベルに設定することができる。
【００３７】
本発明の一実施形態によれば、ロッド（３６）と（２６）の１つのロッドをもう１つのロッドから取り出すことによってロッド（３６）と（２６）の長さを異なるレベルで設定するための機構は、伸縮機構によって可能になる。このように、１つのロッドはもう１つのロッドによって囲まれており、両者の直径に差があるため、１つのロッドをもう１つのロッドから取り出すことが可能である。こうした場合、締め付けネジ（２４）は、締め付けネジ（２４）を時計回りに回転させることによって好ましい位置を設定するために使用され、それにより２つのロッドを一緒に堅くロックする。同様の機構は、高所に届く目的で３以上のロッドを使用して構築することが可能である。このように、３つのロッドをこうした伸縮機構に置くことができ、したがって、この例では３つのロッドを固定して一緒にロックするための２つの締め付けネジ（２４）がある。本発明の別の実施形態によれば、ロッドの全長を設定するための開口機構は、１つのロッドが別のロッドの内部でネジ留められたねじ山を用いることによって可能となり、その結果、１つのロッドを別のロッドからネジを緩めて外すことによって、ロッド（３６）と（２６）の得られる全長を延ばすことが可能である。
【００３８】
本発明の別の実施形態によれば、プラスチックシート（１０）を切るための切断装置は、一定の長さを備えたたった１つのロッド（２６）を有する。本発明のこの実施形態では、ロッド（２６）の長さを変更する必要がない場合、切断装置（１０）は簡単に使うことができる。この場合、単一のロッド（２６）は、底部の支持ハンドル（２８）からもう一方の端部の先の尖った先端（１２）までとなる。本発明のこの実施形態は、プラスチック（１０）を切るための切断装置が屋根のプラスチックシートの高さが一定である非常に長い温室で使用される場合には望ましいこともある。一定の長さの単一のロッド（２６）を備えたプラスチック（１０）を切るための切断装置は、一定の高さのプラスチックシートに穴を開けるための基本的な使用を可能にする。
【００３９】
本発明の一実施形態によれば、動作ハンドル（３０）はロッド（２６）を円を描くように回転させるために使用されると同時に、支持ハンドル（２８）をつかむことによってユーザーのもう一方の手で支持される。動作ハンドル（３０）と支持ハンドル（２８）は好ましくは丸い形状を有しており、ユーザーが手動でハンドルを回している間に手でハンドルを快適につかむことを可能する。手動操作装置のあるモード特性でプラスチックシート（１０）を切るための切断装置の快適な使用のために、丸みのあるハンドル（２８）と（３０）は軸のまわりで回転可能であり、それにより、ユーザーは、切断装置を手動で操作する際に、それぞれの手で動作ハンドル（３０）と支持ハンドル（２８）の両方をしっかりとつかむことが可能となる。ユーザーがそれぞれの手で各ハンドルを掴む際、ユーザーは動作ハンドル（３０）を円を描くように、すなわち、支持ハンドル（２８）を掴んでいるもう一方の腕から与えられる支持によって形成される焦点のまわりを回るように回転させ、こうして、ユーザーは軸まわりのロッド（２６）と（３６）（両方とも一緒に固定される）の回転動作を作り出す。
【００４０】
ロッド（２６）と（３６）のそれらの軸まわりの回転は、ポール（３４）を円を描くように回転させ、その結果、切断工具（２０）をロッド（３６）の軸のまわりで回転させる。温室のプラスチックを切るために、ユーザーはこの段階で温室のプラスチックシートの内部に先の尖った先端（１２）を埋め込み、それにより切断装置（１０）に別の支持点を与える。そして、ユーザーはプラスチックシートに切断装置を押しやりつつ、動作ハンドル（３０）を反時計回りに回転させ、切断工具（２０）がプラスチックに丸い穴を開ける。先の尖った先端（１２）はプラスチックシートに固定されるため、先の尖った先端（１２）は製図用コンパスの使用に似たやり方で使用され、ポール（３４）は、先の尖った先端（１２）の点のまわりに正確な円を描くように切断工具（２０）を回転させる。このように、ユーザーが、温室のプラスチックに対して切断工具（２０）を備えた切断装置（１０）を押し付けている間に円を描くようなやり方で動作ハンドル（３０）を回転させると、プラスチック（１０）を切るための切断装置は温室のプラスチックに正確な円を切り取ることができる。
【００４１】
プラスチックに開けられる穴の直径の大きさは、先の尖った先端（１２）の先から切断工具（２０）までの距離を決定することによって選択することが可能である。直径の大きな穴が好ましい場合、ポール（３４）上にフレーム（４０）をスライドさせ、先の尖った先端（１２）から一定の距離をおいて切断工具（２０）をセットするために蝶ネジ（２２）を堅く締めることにより、切断工具（２０）を延長ロッド（３６）からさらに取り除くことが可能である。
【００４２】
ゆえに、本発明のこの実施形態によれば、温室のプラスチックに一定の正確な直径の切れ目を入れるために、円の中心から望ましい距離に切断工具（２０）を設置するのは簡単である。
【００４３】
本発明の別の実施形態によれば、切断装置（１０）は先の尖った先端（１２）から一定の距離をおいて切断工具（２０）を有することもある。切断装置（１０）は、本発明のこの実施形態によれば、一定の大きさ（一定の直径を有する穴）の穴を開けるためのものである。
【００４４】
本発明の別の実施形態によれば、ディスク（１６）はロッド（３６）と先の尖った先端（１２）との間に取り付けられる。ディスク（１６）の機能は、切断工具（２０）が温室のプラスチックを切る際に良好に支持することである。ユーザーが動作ハンドル（３０）を回している間に、回転移動は先の尖った先端（１２）の土台でその軸のまわりにディスク（１６）を回転させる。ディスク（１６）の外側表面は切断工具（２０）を安定させるための機械的な支持を与え、その一方で温室のプラスチックを切り裂く。こうした機械的な支持は切断装置（１０）の安定化を促し、その一方で、先の尖った先端（１２）がプラスチックに固定されることにより、切断工具（２０）の回転のための焦点が固定される。
【００４５】
第１の工程では、ユーザーは先端（１２）をシート（４４）に留める。第２の工程では、ユーザーはさらにシート（４４）にディスク（１６）を押し付ける。ディスク（１６）は先端（１２）の位置のまわりでシート（４４）を伸ばす、不動の固定装置である。先端（１２）が伸びているディスク（１６）の中心に配置された突起部（５０）はシート（４４）をさらに持ち上げることで、シートのもともとの領域以上に伸張部分を増やす。第３の工程では、ユーザーは切断工具（２０）を回転させる。切断はディスク（１６）とさらに突起部（５０）によって、シート（４４）の伸張を受けて、ディスク（１６）のまわりで成功する。突起部（５０）によるシート（４４）の持ち上げは、ディスク（１６）の回転によって引き起こされる、ディスク（１６）とシート（４４）との間の摩擦を打ち消す。
【００４６】
ディスク（１６）は切断工具（２０）を様々な位置に配することを可能にするための溝（１４）を備えることもある。本発明のこの実施形態によれば、切断工具（２０）は、フレーム（４０）の保持によってポール（３４）の任意の点に設置することが可能である。蝶ネジ（２２）は切断工具（２０）をポール（３４）に押し付けることによってポール（３４）上の任意の好ましい点に切断工具（２０）を取り付け、それによってプラスチックの穴の所望の直径を決める。溝（１４）により、ユーザーは、穴の求められる直径を選ぶためにディスク（１６）を通して切断工具（２０）を移動させることによって、ポール（３４）上の望ましい任意の点に切断工具（２０）を動かすことができる。
【００４７】
本発明の別の実施形態によれば、ディスク（１６）の使用により、そのディスク上に切断工具（２０）を直接固定することが可能となる。本発明のこの実施形態によれば、ディスク（１６）は温室のプラスチックシートの切断を促すために必要とされる機械的な支持を与え、その間、ディスクに直接接続される切断工具（２０）は温室のプラスチックを切り裂く。本発明のこの実施形態では、温室に穴を開ける作業においてあらかじめ定義された一定の直径の穴が必要な場合、切断装置（１０）によりこうした一定の直径の穴を開けることが可能となる。
【００４８】
本発明の一実施形態によれば、切断工具（２０）の切断用端部（１８）は刃であり得る。こうした切断工具（２０）は、プラスチックを切るのに適した刃の切断用端部（１８）で作ることが可能である。本発明の一実施形態によれば、切断工具（２０）は万能ナイフであり得る。本発明の一実施形態によれば、切断工具（２０）は伸縮自在の刃ナイフ（ｂｌａｄｅ  ｋｎｉｆｅ）、代替可能な万能ナイフを備えたナイフ、標準的な縁のまっすぐな刃（ｓｔｒａｉｇｈｔ  ｅｄｇｅ  ｂｌａｄｅ）、「スナップオフ式の刃（Ｓｎａｐ−ｏｆｆ）」、使い捨てのカミソリの刃、またはポケットナイフであり得る。
【００４９】
本発明の別の実施形態によれば、切断工具（２０）の切断用端部（１８）は熱フィラメントであり得る。本発明のこの実施形態では、切断工具（２０）は温室のプラスチックを切るのに適切な加熱されたフィラメントを含む。こうしたフィラメントは電力を用いて高温に加熱可能であり、プラスチックシートの表面を迅速に焼くことが可能である。温室のプラスチックシートを正確に切ることを可能にするためには比較的薄いフィラメントが好ましいこともあり、切断工具（２０）の切断用端部（１８）の回転が非常に速い時でさえ、プラスチックはすぐに燃えて、切断装置（１０）は温室のプラスチックに円形の穴を作る。
【００５０】
図３は、本発明の別の実施形態に係る、プラスチックシートを切るための切断装置の概略図である。
【００５１】
本発明の別の実施形態によれば、プラスチックシートを切るための切断装置は２つの切断工具（２０）を有する。両側から２つの切断工具（２０）を同時に押すことで互いに平衡が保たれるため、プラスチックの切断はより簡単になり、切断装置は円滑に動作することから、本発明の別の実施形態に係る温室のプラスチックを切るための２つの切断工具の使用は望ましい。
【００５２】
本発明のこの実施形態によれば、ユーザーが動作ハンドル（３０）を回転させる間、延長ロッド（３６）の回転はポール（３４）に取り付けられた両方の切断工具（２０）を回転させる。
【００５３】
本発明の別の実施形態によれば、ディスク（１６Ａ）は延長ロッド（３６）と先の尖った先端（１２）との間に取り付けられる。ディスク（１６Ａ）の目的は、プラスチックを切る際に、切断装置（１０）に支持面を与えることである。ディスクは切断された円形のプラスチックを集めることにも役立つ。切断装置によって切り取られたプラスチックはディスク（１６Ａ）の表面に蓄積し、ユーザーは先の尖った先端（１２）からプラスチック片を取り除くことができる。
【００５４】
本発明の別の実施形態によれば、両方の切断工具（２０）は、温室のプラスチックに開けられる穴の径寸法を決定するために調節することが可能である。プラスチックに開けられる穴のサイズを決定するために、ユーザーは最初に、先の尖った先端（１２）からの同一の距離に対して両方の切断工具（２０）を設置し、その後、ユーザーは蝶ネジ（２２）を堅く締めることによってポールに切断工具を取り付ける。ディスク（１６Ａ）は両側から２つの溝（１４）を有しているように図３では描かれている。溝（１４）により、ディスク（１６Ａ）の中心からの同一の距離で切断工具（２０）を取り付ける前に、切断工具（２０）を移動させることが可能となる。
【００５５】
本発明の別の実施形態によれば、切断工具（２０）の切断用端部（１８）は２つの刃である。切断工具（２０）の刃は代替可能であり得、刃の切れ味が鈍くなると簡単に交換できる。切断用端部（１８）の置き換えも、「スナップオフ式の刃」の切れない部分を折り取ることによって行うことが可能である。図３の吹き出しにおいて、切断用端部（１８）は溝とディスク（１６Ａ）の反対側面から目立つように見え、切断工具（２０）を固定する蝶ネジ（２２）が見える。
【００５６】
本発明の別の実施形態によれば、切断用端部（１８）は、ディスク（１６Ａ）に直接接続することが可能である。
【００５７】
本発明の別の実施形態によれば、切断工具（２０）は、先の尖った先端（１２）から一定の距離にある永久的な位置に固定可能である。これは、所望のあらかじめ決められた寸法の穴を温室のプラスチックに開ける際に適している。
【００５８】
本発明の別の実施形態によれば、切断工具（２０）の切断用端部（１８）は加熱フィラメントであり得る。
【００５９】
本発明の別の実施形態によれば、切断装置（１０）は電気モーターによって動作可能である。
【００６０】
本発明の別の実施形態によれば、切断工具（２０）の回転運動は、空気動力、水力、あるいは別の機械動力によって供給可能である。
【００６１】
図４は、本発明の一実施形態に係る、プラスチックシートを切るための切断装置を操作するユーザーの図である。
【００６２】
図４では、本発明の一実施形態に従って、ユーザーが温室のプラスチックシートを切るための切断装置を操作しているのが見える（４２）。ユーザー（４８）が左腕で支持ハンドル（２８）を、右腕で動作ハンドル（３０）を保持しているのが見える。この位置で、ユーザーは、保持している支持ハンドル（２８）のまわりで、右腕を使って動作ハンドル（３０）を円を描くように回転させる。切断装置（１０）の反対側のディスク（１６）は、温室のプラスチックシート（４４）に対する支持モーメントを与える。
【００６３】
動作ハンドル（３０）の作用は切断工具（２０）に回転運動（ロッドを介して）を伝える。切断工具はロッドによって形成される軸のまわりで円をなして回転し、温室のプラスチックシート（４４）に円形の穴（４６）を開ける。図４では、ユーザー（４８）によって温室のプラスチックシート（４４）に作られたいくつかの穴（４６）が見える。
【００６４】
本発明の別の実施形態によれば、プラスチックシート（１０）を切るための切断装置の回転は、電気モーター、油圧モーター、または空気圧モーターによって供給され得る。
【００６５】
本明細書の図および／または記載では、以下の参照数字（参照符号リスト）について言及されている：
−数字（１０）はプラスチックシートを切るための切断装置を示す。
−数字（１２）は先の尖った先端を示す。
−数字（１４）は溝を示す。
−数字（１６）と（１６Ａ）はディスクを示す。
−数字（１８）は切断用端部を示す。
−数字（２０）は切断工具を示す。
−数字（２２）は蝶ネジを示す。
−数字（２４）は締め付けネジを示す。
−数字（２６）はロッドを示す。
−数字（２８）は支持ハンドルを示す。
−数字（３０）は動作ハンドルを示す。
−数字（３２）は蝶ネジを示す。
−数字（３４）はポールを示す。
−数字（３６）は延長ロッドを示す。
−数字（３８）はフレームを示す。
−数字（４０）は別のフレームを示す。
−数字（４２）は温室のプラスチックシートを切るための切断装置を操作するユーザーを示す。
−数字（４４）は温室のプラスチックシートを示す。
−数字（４６）は温室のプラスチックシートの穴を示す。
−数字（４８）はユーザーを示す。
−数字（５０）は先端（１２）が伸びているディスク（１６）の中心に配された突起部を示す。
【００６６】
本発明の実施形態の前述の記載と図は実例目的のために示されてきた。いかなる形態でも本発明を上記の記載に限定することまたは網羅することを意図していない。
【００６７】
上に定義され、請求項で使用される任意の用語もこの定義に従って解釈されなければならない。
【００６８】
請求項の参照番号は請求項の一部ではなく、むしろ読みやすくするために使用されている。こうした参照番号はいかなる形でも請求項を制限するものと解釈されてはならない。
【図１】
0003207122.tif 000003
【図２】
0003207122.tif 000004
【図３】
0003207122.tif 000005
【図４】
0003207122.tif 000006
【手続補正書】
【提出日】平成28年7月5日(2016.7.5)
【手続補正１】
【補正対象書類名】実用新案登録請求の範囲
【補正対象項目名】全文
【補正方法】変更
【補正の内容】
【実用新案登録請求の範囲】
【請求項１】
切断装置であって、
該切断装置は、
−切断中にシート（４４）を伸張させるために、シート（４４）を取り付けるためのディスク（１６）、
−ディスク（１６）の中心に垂直に接続されたロッド（２６）であって、シート（４４）に固定されるために、および、前記シート（４４）の伸長した領域の中心を決定するために、端部に先の尖った先端（１２）を有する、ロッド（２６）、
−ロッド（２６）に接続された切断工具（２０）であって、ロッド（２６）から離れて配された、切断用端部（１８）を使用する、切断工具（２０）、および、
−ロッド（２６）のまわりで切断用端部を円形に回転させるための機構、
を備え、
−ロッド（２６）の長さによって、切断装置を遠くからシートに固定することが可能となり、それによって、ユーザーから離れて前記シート（４４）に円形の切り口を開けるために前記シート（４４）を伸張させる、切断装置。
【請求項２】
前記切断工具（２０）は万能ナイフである、請求項１に記載の切断装置。
【請求項３】
前記切断工具（２０）の前記切断用端部（１８）は刃である、請求項１に記載の切断装置。
【請求項４】
前記切断工具（２０）の前記切断用端部（１８）は加熱フィラメントである、請求項１に記載の切断装置。
【請求項５】
前記切断装置は、回転軸から等しい距離をおいて直径上に置かれた２つの切断工具（２０）を備える、請求項１に記載の切断装置。
【請求項６】
回転軸からの前記切断工具（２０）の距離が決められ、固定され得る、請求項５に記載の切断装置。
【請求項７】
ポール（３４）上の一定の場所に切断工具（２０）を締めるための蝶ネジ（２２）を含む、請求項６に記載の切断装置。
【請求項８】
延長ロッド（３６）は折り畳み可能であるか、あるいは、様々な長さに設定されるように取り付け可能であり、それによってユーザー（４８）が高さの異なるシート（４４）に届くことが可能となる、請求項５に記載の切断装置。
【請求項９】
前記延長ロッド（３６）は伸縮方式で畳み込まれたり開かれたりする、請求項８に記載の切断装置。
【請求項１０】
切断機構は切断工具（２０）を前記円を描くように回転させるためのモーターを含む、請求項５に記載の切断装置。
【請求項１１】
前記モーターは電気モーター、油圧モーター、および空気圧モーターを含む群から選択される、請求項１０に記載の切断装置。
【請求項１２】
切断機構は動作ハンドル（３０）を備え、ユーザー（４８）は前記動作ハンドル（３０）を手動で回して、前記切断工具（２０）を、円を描くように回転させる、請求項１に記載の切断装置。
【請求項１３】
回転軸からの前記切断工具（２０）の距離が決められ、固定され得る、請求項１に記載の切断装置。
【請求項１４】
ポール（３４）上の一定の場所に前記切断工具（２０）を締めるための蝶ネジ（２２）を含む、請求項１３に記載の切断装置。
【請求項１５】
延長ロッド（３６）は折り畳み可能であるか、あるいは、様々な長さに設定されるように取り付け可能であり、それによってユーザー（４８）が高さの異なるシート（４４）に届くことができる、請求項１に記載の切断装置。
【請求項１６】
前記延長ロッド（３６）は伸縮方式で畳み込まれたり開かれたりする、請求項１５に記載の切断装置。
【請求項１７】
動作ハンドル（３０）を備え、ユーザー（４８）は前記動作ハンドル（３０）を手動で回して、前記切断工具（２０）を円を描くように回転させる、請求項１に記載の切断装置。
【請求項１８】
前記切断工具（２０）を円を描くように回転させるためのモーターを含む、請求項１に記載の切断装置。
【請求項１９】
前記モーターは電気モーター、油圧モーター、および空気圧モーターを含む群から選択される、請求項１８に記載の切断装置。
【請求項２０】
前記ディスク（１６）とシート（４４）との間の摩擦を打ち消すための、前記ディスク（１６）と前記先端（１２）との間に配される突起部（５０）をさらに備える、請求項１に記載の切断装置。